(57)【要約】【課題】携帯端末との間で遠隔撮影する場合に撮像装置の消費電力のピーク値を低減させることを目的とする。【解決手段】撮像装置は、携帯端末との無線通信が開始される前に鏡筒が繰り出されたときのズーム位置を記憶する記憶手段と、前記繰り出された鏡筒を沈胴させた状態で前記携帯端末との無線通信を開始する無線通信手段と、前記無線通信手段により前記携帯端末との無線通信が開始された後に、前記鏡筒を繰り出して前記記憶手段により記憶されたズーム位置に制御する鏡筒制御手段と、を有する。【選択図】図５
2015118183.tif 000002
【特許請求の範囲】
【請求項１】
携帯端末からの無線通信を介した撮影指示に応じて撮影する撮像装置であって、
前記携帯端末との無線通信が開始される前に鏡筒が繰り出されたときのズーム位置を記憶する記憶手段と、
前記繰り出された鏡筒を沈胴させた状態で前記携帯端末との無線通信を開始する無線通信手段と、
前記無線通信手段により前記携帯端末との無線通信が開始された後に、前記鏡筒を繰り出して前記記憶手段により記憶されたズーム位置に制御する鏡筒制御手段と、を有することを特徴とする撮像装置。
【請求項２】
前記鏡筒制御手段は、
前記携帯端末から、前記携帯端末による撮影指示に応じて撮影制御される遠隔撮影モードに移行する要求を受信した場合には、前記鏡筒を繰り出して前記記憶手段により記憶されたズーム位置に制御し、
前記携帯端末から、前記遠隔撮影モードに移行する要求とは異なる要求を受信した場合には、前記鏡筒を沈胴させた状態を維持することを特徴とする請求項１に記載の撮像装置。
【請求項３】
前記遠隔撮影モードに移行する要求と異なる要求とは、該撮像装置に記憶された画像を閲覧するための画像閲覧モードに移行する要求であることを特徴とする請求項２に記載の撮像装置。
【請求項４】
前記記憶手段は、該撮像装置の操作手段を介した操作に応じて撮影制御する通常撮影モードが設定されている場合において、前記鏡筒が繰り出されたときのズーム位置を記憶することを特徴とする請求項１ないし３の何れか１項に記載の撮像装置。
【請求項５】
前記記憶手段は、ズーム位置が変更される毎に該ズーム位置を記憶することを特徴とする請求項１ないし４の何れか１項に記載の撮像装置。
【請求項６】
前記記憶手段は、ズーム位置を該撮像装置の電源がＯＦＦになるまで記憶することを特徴とする請求項１ないし５の何れか１項に記載の撮像装置。
【請求項７】
前記記憶手段により記憶されたズーム位置が、画像の切り出し処理が必要なデジタルズーム位置であった場合、
前記鏡筒制御手段は、前記無線通信手段により前記携帯端末との無線通信が開始された後に、前記鏡筒を繰り出して光学ズームの望遠端のズーム位置に制御することを特徴とする請求項１ないし６の何れか１項に記載の撮像装置。
【請求項８】
携帯端末からの無線通信を介した撮影指示に応じて撮影する撮像装置の制御方法であって、
前記携帯端末との無線通信が開始される前に鏡筒が繰り出されたときのズーム位置を記憶する記憶ステップと、
前記繰り出された鏡筒を沈胴させた状態で前記携帯端末との無線通信を開始する無線通信ステップと、
前記無線通信ステップにより前記携帯端末との無線通信が開始された後に、前記鏡筒を繰り出して前記記憶ステップにより記憶されたズーム位置に制御する鏡筒制御ステップと、を有することを特徴とする撮像装置の制御方法。
【請求項９】
携帯端末からの無線通信を介した撮影指示に応じて撮影する撮像装置を制御するためのプログラムであって、
前記携帯端末との無線通信が開始される前に鏡筒が繰り出されたときのズーム位置を記憶する記憶ステップと、
前記繰り出された鏡筒を沈胴させた状態で前記携帯端末との無線通信を開始する無線通信ステップと、
前記無線通信ステップにより前記携帯端末との無線通信が開始された後に、前記鏡筒を繰り出して前記記憶ステップにより記憶されたズーム位置に制御する鏡筒制御ステップと、をコンピュータに実行させるためのプログラム。
【発明の詳細な説明】
【技術分野】
【０００１】
本発明は、撮像装置、その制御方法およびプログラムに関する。
【背景技術】
【０００２】
デジタルカメラなどの撮像装置とスマートフォンなどの携帯端末とを無線通信によって連携させる技術が知られている。そのような技術の中に、デジタルカメラのライブ画像を取得して無線通信を介してスマートフォンで閲覧しながら、スマートフォンからのズーム操作や撮影操作を行うリモート撮影の機能がある。リモート撮影の機能は、撮影者が被写体の一人として撮影対象に含まれる場合に、フレーム内に被写体が収まるかを確認しながら撮影することができ、例えば集合写真を撮影する際に有用である。
【０００３】
また、特許文献１にはズーム操作に関する技術として、撮像装置の電源をＯＦＦしたときにズーム位置を記憶し、電源をＯＮしたときの状況に応じて記憶したズーム位置に設定する技術が開示されている。
【先行技術文献】
【特許文献】
【０００４】
【特許文献１】特開２００９−２６７４８２号公報
【発明の概要】
【発明が解決しようとする課題】
【０００５】
リモート撮影を行う場合、無線通信と撮影処理を同時に行う必要があるため、デジタルカメラの消費電力が大きくなる。特に鏡筒を繰り出したり沈胴させたりすることができるデジタルカメラでは、鏡筒を駆動させるときの消費電力は大きく、鏡筒を駆動させる処理と無線通信の接続処理とが同時に行われると、消費電力のピーク値が大きくなってしまう。
本発明は、上述したような問題点に鑑みてなされたものであり、携帯端末との間で遠隔撮影する場合に撮像装置の消費電力のピーク値を低減させることを目的とする。
【課題を解決するための手段】
【０００６】
本発明は、携帯端末からの無線通信を介した撮影指示に応じて撮影する撮像装置であって、前記携帯端末との無線通信が開始される前に鏡筒が繰り出されたときのズーム位置を記憶する記憶手段と、前記繰り出された鏡筒を沈胴させた状態で前記携帯端末との無線通信を開始する無線通信手段と、前記無線通信手段により前記携帯端末との無線通信が開始された後に、前記鏡筒を繰り出して前記記憶手段により記憶されたズーム位置に制御する鏡筒制御手段と、を有することを特徴とする。
【発明の効果】
【０００７】
本発明によれば、携帯端末との間で遠隔撮影する場合に鏡筒を駆動させる処理と無線通信の接続処理とを同時に行わないことにより撮像装置の消費電力のピーク値を低減させることができる。
【図面の簡単な説明】
【０００８】
【図１】本実施形態の撮影システムの構成を説明するための図である。
【図２】本実施形態のデジタルカメラの構成を示すブロック図である。
【図３】本実施形態のスマートフォンの構成を示すブロック図である。
【図４】本実施形態のデジタルカメラの動作を示すフローチャートである。
【図５】本実施形態のデジタルカメラの動作を示すフローチャートである。
【図６】本実施形態のスマートフォンの表示画面の一例を示す図である。
【発明を実施するための形態】
【０００９】
以下に、本発明を実施するための形態について、添付の図面を用いて詳細に説明する。
＜機器構成／ユースケース＞
図１は、本実施形態の撮影システムの機器構成およびユースケースを示す図である。
図１（ａ）は通常の撮影を行う場合のユースケースを示す図である。通常の撮影を行う場合には、撮像装置としてのデジタルカメラ２００のみを用いる。通常の撮影では撮影者１０１と被写体１０２とはそれぞれ別人物であり、撮影者１０１はデジタルカメラ２００を操作して被写体１０２を撮影する。
【００１０】
図１（ｂ）はリモート撮影を行う場合のユースケースを示す図である。リモート撮影を行う場合には、撮影装置としてのデジタルカメラ２００とリモコン装置として機能する携帯端末としてのスマートフォン３００を用いる。リモート撮影では被写体１０２は被写体であると同時に撮影者でもあり、被写体１０２自身がスマートフォン３００を操作することで撮影する。
被写体１０２はデジタルカメラ２００とスマートフォン３００とを無線接続し、スマートフォン３００から無線通信を介してデジタルカメラ２００を遠隔操作する。被写体１０２はスマートフォン３００の表示画面を見て、自身がフレーム内に収まっていることを確認した後、スマートフォン３００からデジタルカメラ２００へ撮影指示する。
【００１１】
＜デジタルカメラの構成＞
図２は、本実施形態のデジタルカメラ２００の構成例を示すブロック図である。なお、ここでは撮像装置の一例としてデジタルカメラについて述べるが、これに限られない。例えば撮像装置は携帯型のメディアプレーヤ、いわゆるタブレットデバイス、パーソナルコンピュータなどの情報処理装置であってもよい。
【００１２】
デジタルカメラ２００は、制御部２０１、撮像部２０２、不揮発性メモリ２０３、作業用メモリ２０４、操作部２０５、表示部２０６、記録媒体２１０、接続部２１１を有している。ここで、制御部２０１は鏡筒制御手段の一例であり、作業用メモリ２０４は記憶手段の一例であり、接続部２１１は無線通信手段の一例である。
制御部２０１は、入力された信号や、後述のプログラムに従ってデジタルカメラ２００の各部を制御する。なお、制御部２０１が装置全体を制御する代わりに複数のハードウェアが処理を分担することで装置全体を制御してもよい。
撮像部２０２は、撮像部２０２に含まれるレンズで結像された被写体光を電気信号に変換し、ノイズ低減処理などを行ったデジタルデータを画像データとして出力する。撮影された画像データはバッファメモリに蓄えられた後、制御部２０１にて所定の演算を行い、記録媒体２１０に記録される。また、撮像部２０２は鏡筒を有し、鏡筒が繰り出されることでズーム位置が調整される。
【００１３】
不揮発性メモリ２０３は、電気的に消去・記録可能な不揮発性のメモリである。不揮発性メモリ２０３には、制御部２０１で実行される後述のプログラムなどが格納される。
作業用メモリ２０４は、撮像部２０２で撮影された画像データを一時的に保持するバッファメモリや、表示部２０６の画像表示用メモリ、制御部２０１の作業領域などとして使用される。
操作部２０５は、操作者からデジタルカメラ２００に対する指示を受け付ける。操作部２０５は、例えば、操作者がデジタルカメラ２００の電源のＯＮ／ＯＦＦを指示するための電源ボタン、撮影指示するためのレリーズスイッチ、ズーム操作を指示するためのズームレバーなどの操作部材が含まれる。また、操作部２０５は、画像データの再生を指示するための再生ボタン、後述する表示部２０６に形成されるタッチパネルも含まれる。
なお、レリーズスイッチは、ＳＷ１およびＳＷ２を有する。レリーズスイッチが、いわゆる半押し状態となることによりＳＷ１がＯＮとなる。レリーズスイッチのＳＷ１がＯＮになると、制御部２０１はＡＦ（オートフォーカス）処理、ＡＥ（自動露出）処理、ＡＷＢ（オートホワイトバランス）処理、ＥＦ（フラッシュプリ発光）処理などの撮影準備を行う。また、レリーズスイッチが、いわゆる全押し状態となることによりＳＷ２がＯＮとなる。レリーズスイッチのＳＷ２がＯＮになると、制御部２０１は撮影処理を行う。
【００１４】
表示部２０６は、撮影の際のビューファインダー画像の表示、撮影した画像データの表示、対話的な操作のための文字表示などを行う。なお、デジタルカメラ２００は必ずしも表示部２０６を内蔵する必要はない。すなわち、デジタルカメラ２００は内部または外部の表示部２０６と接続することができ、少なくとも表示部２０６の表示を制御できる機能を有していればよい。
記録媒体２１０は、撮像部２０２から出力された画像データを記録する媒体である。記録媒体２１０は、デジタルカメラ２００に着脱可能あるいはデジタルカメラ２００に内蔵されていてもよい。すなわち、デジタルカメラ２００は少なくとも記録媒体２１０にアクセスできればよい。
【００１５】
接続部２１１は、外部装置と接続するためのインターフェースである。本実施形態のデジタルカメラ２００は、接続部２１１を介して外部装置との間でデータを送受信することができる。なお、本実施形態では、接続部２１１は外部装置と無線ＬＡＮで通信するためのインターフェースを含む。制御部２０１は接続部２１１を介して外部装置との無線通信を実現する。なお、通信方式は無線ＬＡＮに限定されるものではない。
【００１６】
＜スマートフォンの構成＞
図３は、本実施形態のスマートフォン３００の構成例を示すブロック図である。なお、ここでは携帯端末の一例としてスマートフォンについて述べるが、これに限られない。例えば携帯端末は無線機能付きのデジタルカメラ、携帯型のメディアプレーヤ、いわゆるタブレットデバイス、パーソナルコンピュータ、携帯電話などの情報処理装置であってもよい。
【００１７】
スマートフォン３００は、制御部３０１、撮像部３０２、不揮発性メモリ３０３、作業用メモリ３０４、操作部３０５、表示部３０６、記録媒体３１０、接続部３１１、公衆網接続部３１２、マイク３１３、スピーカ３１４を有している。
制御部３０１は、入力された信号や、後述のプログラムに従ってスマートフォン３００の各部を制御する。なお、制御部３０１が装置全体を制御する代わりに複数のハードウェアが処理を分担することで装置全体を制御してもよい。
撮像部３０２は、撮像部３０２に含まれるレンズで結像された被写体光を電気信号に変換し、ノイズ低減処理などを行ったデジタルデータを画像データとして出力する。撮影された画像データはバッファメモリに蓄えられた後、制御部３０１にて所定の演算を行い、記録媒体３１０に記録される。
【００１８】
不揮発性メモリ３０３は、電気的に消去・記録可能な不揮発性のメモリである。不揮発性メモリ３０３には、制御部３０１で実行される各種プログラムなどが格納される。また、不揮発性メモリ３０３には、デジタルカメラ２００と通信するためのプログラムがカメラ通信アプリケーションとして格納され、インストールされているものとする。なお、本実施形態におけるスマートフォン３００の処理は、カメラ通信アプリケーションにより提供されるプログラムを読み込むことにより実現される。なお、カメラ通信アプリケーションはスマートフォン３００にインストールされたＯＳの基本的な機能を利用するためのプログラムを有しているものとする。なお、スマートフォン３００のＯＳが本実施形態における処理を実現するためのプログラムを有していてもよい。
【００１９】
作業用メモリ３０４は、撮像部３０２で生成された画像データを一時的に保存するバッファメモリや、表示部３０６の画像表示用メモリや、制御部３０１の作業領域などとして使用される。
操作部３０５は、操作者からスマートフォン３００に対する指示を受け付ける。操作部３０５は例えば、操作者がスマートフォン３００の電源のＯＮ／ＯＦＦを指示するための電源ボタンや、表示部３０６に形成されるタッチパネルなどの操作部材が含まれる。
【００２０】
表示部３０６は、画像データの表示、対話的な操作のための文字表示などを行う。なお、スマートフォン３００は必ずしも表示部３０６を内蔵する必要はない。すなわち、スマートフォン３００は表示部３０６と接続することができ、少なくとも表示部３０６の表示を制御できる機能を有していればよい。
記録媒体３１０は、撮像部３０２から出力された画像データを記録する媒体である。記録媒体３１０は、スマートフォン３００に着脱可能あるいはスマートフォン３００に内蔵されていてもよい。すなわち、スマートフォン３００は少なくとも記録媒体３１０にアクセスできればよい。
【００２１】
接続部３１１は、外部装置と接続するためのインターフェースである。本実施形態のスマートフォン３００は、接続部３１１を介して外部装置との間でデータを送受信することができる。なお、本実施形態では、接続部３１１は外部装置と無線ＬＡＮで通信するためのインターフェースを含む。制御部３０１は接続部３１１を介して外部装置との無線通信を実現する。
【００２２】
公衆網接続部３１２は、公衆無線通信を行う際に用いられるインターフェースである。スマートフォン３００は操作者が公衆網接続部３１２を介して他の装置の操作者と通話をしたり、他の装置との間でデータ通信をしたりすることができる。通話の際には、制御部３０１はマイク３１３およびスピーカ３１４を介して音声信号の入力と出力を行う。本実施形態では、公衆網接続部３１２は３Ｇを用いた通信を行うためのインターフェースを含むものとする。なお、３Ｇに限らず、ＬＴＥやＷｉＭＡＸ、ＡＤＳＬ、ＦＴＴＨ、いわゆる４Ｇといった他の通信方式を用いてもよい。また、接続部３１１および公衆網接続部３１２は必ずしも独立したハードウェアで構成する必要はなく、例えば一つのアンテナで兼用することも可能である。
【００２３】
＜通常撮影処理＞
まず、デジタルカメラ２００が通常撮影処理を行う場合の処理について説明する。
図４は、通常の撮影処理を行う場合のデジタルカメラ２００の処理を示すフローチャートである。なお、図４に示すフローチャートの処理は、デジタルカメラ２００の制御部２０１が入力信号やプログラムにしたがいデジタルカメラ２００の各部を制御することにより実現される。また、図４に示すフローチャートは、デジタルカメラ２００の制御部２０１が電源ボタンのＯＮを受け付けることにより開始される。
【００２４】
ステップＳ４０１では、制御部２０１はモードを通常撮影モードに設定して起動する。ここで、通常撮影モードとは、デジタルカメラ２００の操作部２０５を介した操作に応じて撮像部２０２を撮影制御するモードである。また、制御部２０１は、通常撮影モードに設定するときに、撮像部２０２の鏡筒をカメラ本体に沈胴された状態から繰り出して伸張させる。
【００２５】
ステップＳ４０２では、制御部２０１は操作者による操作部２０５を介したズーム操作が行われたか否かを判定する。ズーム操作が行われたと判定された場合にはステップＳ４０３に進み、ズーム操作が行われなかったと判定された場合にはステップＳ４０４に進む。
【００２６】
ステップＳ４０３では、制御部２０１はズーム操作に応じて鏡筒を駆動させて、鏡筒の繰り出し量（鏡筒がカメラ本体から延伸している長さ）を変化させることでズーム位置を変更し、変更した現在のズーム位置を記憶する。具体的には、制御部２０１は撮像部２０２からズーム位置の情報を取得し、作業用メモリ２０４に記憶する。なお、制御部２０１は、鏡筒の繰り出し量が最大に到るまで（光学ズームの望遠端に到るまで）はズーム位置として光学ズーム位置を記憶することができる。また、制御部２０１は、鏡筒の繰り出し量が最大に到り（光学ズームの望遠端に到り）デジタルズーム処理をしている場合にはズーム位置としてデジタルズーム位置を記憶することができる。記憶したズーム位置の情報は、後述するリモート撮影処理において用いられる。
制御部２０１はズーム位置を記憶した後に再びステップ４０２に戻る。したがって、制御部２０１は、ズーム操作によりズーム位置が変更される毎に、変更した現在のズーム位置を記憶する。なお、ズーム位置は、作業用メモリ２０４に記憶されるためにデジタルカメラ２００の電源がＯＦＦになるまで記憶される。
【００２７】
一方、ステップＳ４０４に進んだ場合、制御部２０１は操作者による操作部２０５を介して撮影指示が行われたか否かを判定する。撮影指示が行われたと判定された場合にはステップＳ４０５に進み、撮影指示が行われなかったと判定された場合にはステップＳ４０６に進む。
ステップＳ４０５では、制御部２０１は撮影処理を行う。具体的に、制御部２０１は撮像部２０２を制御して被写体の撮影を行い、撮影した画像データを作業用メモリ２０４へ展開する。その後、制御部２０１は作業用メモリ２０４へ展開された画像データに対して画像処理を行い、生成した静止画データを記録媒体２１０に記録する。その後、ステップＳ４０２に戻る。
【００２８】
一方、ステップＳ４０６に進んだ場合、制御部２０１は操作者による操作部２０５を介した再生モードへの移行指示が行われたか否かを判定する。再生モードへの移行指示が行われたと判定された場合には制御部２０１はモードを再生モードに設定する。再生モードへの移行指示が行われなかったと判定された場合にはステップＳ４０２に戻る。
【００２９】
＜リモート撮影処理＞
次に、デジタルカメラ２００がリモート撮影処理を行う場合について説明する。
デジタルカメラ２００がスマートフォン３００と無線通信を行う場合、鏡筒を沈胴させた状態で無線通信を開始することで、鏡筒を駆動させる処理と無線通信の接続処理とが同時に行われず、デジタルカメラ２００の消費電力のピーク値を低減させることができる。したがって、無線通信が開始された後、実際にリモート撮影を行うには沈胴させた状態の鏡筒を再び繰り出す必要がある。
ここで、リモート撮影処理により集合写真を撮影するときに想定される撮影手順について簡単に説明する。まず、操作者はデジタルカメラ２００を三脚等にセットすると共に、操作部２０５を介したズーム操作によりズーム位置を調整してフレーミングを行う。次に、リモート撮影を行うために無線通信を開始した後、リモート撮影を開始する。
【００３０】
しかしながら、上述したように消費電力のピーク値を低減させる方法を採用すると、操作者が一度ズーム位置を調整してフレーミングを行ったとしても、無線通信を開始するときに鏡筒を沈胴させる必要がある。したがって、鏡筒を沈胴させることで一度調整したズーム位置がリセットされてしまい、無線通信を開始した後に、再びフレーム内に収まるようなズーム位置を再現しなければならず操作性が損なわれてしまう。そこで、本実施形態では、デジタルカメラ２００の消費電力のピーク値を低減させると共に操作性を向上させるために以下のような処理を行う。
【００３１】
図５は、リモート撮影処理を行う場合のデジタルカメラ２００の処理を示すフローチャートである。なお、図５に示すフローチャートの処理は、デジタルカメラ２００の制御部２０１およびスマートフォン３００の制御部３０１が入力信号やプログラムにしたがい、デジタルカメラ２００およびスマートフォン３００の各部を制御することにより実現される。なお、図５に示すフローチャートは、デジタルカメラ２００の制御部２０１がモードを再生モードに設定することで開始される。
【００３２】
ステップＳ５０１では、制御部２０１は操作者による操作部２０５を介した操作によってスマートフォン接続が選択されたか否かを判定する。スマートフォン接続が選択されたと判定された場合にはステップＳ５０２に進め、スマートフォン接続が選択されなかったと判定された場合にはステップＳ５０１に戻る。
【００３３】
ステップＳ５０２では、制御部２０１は撮像部２０２を制御して鏡筒を沈胴させる。この処理は、無線通信を行う準備のためであって、鏡筒を駆動させる処理と無線通信の接続処理とが同時に行われることをシーケンス的に排他し、消費電力のピーク値を低減させるためである。
ステップＳ５０３では、制御部２０１はステップＳ５０１で選択されたスマートフォン３００との間で無線通信の接続処理を行う。制御部２０１は、スマートフォン３００との接続が確立されることで遠隔モードに移行して無線通信を開始する。遠隔モードとは、スマートフォン３００からの無線通信を介した指示に応じてデジタルカメラ２００が制御されるモードである。無線通信の接続処理は、制御部２０１が接続部２１１を制御することで実現され、無線ネットワークの接続を確立する無線ＬＡＮ接続処理と、相手機器との通信セッションを確立する機器接続処理からなる。このとき、制御部２０１は、鏡筒を沈胴させた状態のままであるため、鏡筒を駆動させる処理と無線通信の接続処理とが同時に行われることを回避でき、デジタルカメラ２００の消費電力のピーク値を低減することができる。
【００３４】
なお、スマートフォン３００との接続処理は例えば次のような処理を実行することで実現される。デジタルカメラ２００の制御部２０１は、まず周辺の無線ネットワークの検索を行い、接続する無線ネットワークが存在するか確認する。その後、制御部２０１は所望の無線ネットワークへの無線ＬＡＮ接続処理を行い、ＩＰアドレスの設定処理を実行する。なお、デジタルカメラ２００自身が無線ネットワークを生成し、スマートフォン３００をデジタルカメラ２００が生成した無線ネットワークに参加させることで無線ＬＡＮ接続を確立することも可能である。その後、接続した無線ネットワーク上で接続相手のスマートフォン３００の検索を行う。機器の検索はＵＰｎＰ（Ｕｎｉｖａｒｓａｌ Ｐｌｕｇ ａｎｄ Ｐｌａｙ）やｍＤＮＳ（Ｍｕｌｔｉｃａｓｔ ＤＮＳ）などの機器検索プロトコルにより実現される。機器検索処理により接続相手のスマートフォン３００を発見すると、スマートフォン３００との間で通信セッションを確立するための機器接続処理を行う。
【００３５】
図６（ａ）は、デジタルカメラ２００との接続処理が完了したときのスマートフォン３００の画面の一例を示す図である。図６（ａ）には、閲覧選択ボタン６０１およびリモート撮影選択ボタン６０２が表示される。各ボタンは、操作者によるスマートフォン３００の操作部３０５を介した操作によって選択される。
閲覧選択ボタン６０１は、デジタルカメラ２００に記憶された画像を閲覧したい場合に選択するボタンである。閲覧選択ボタン６０１が選択されることで、スマートフォン３００の制御部３０１は接続部３１１を介して、デジタルカメラ２００のモードを画像閲覧モードに移行させるためにデジタルカメラ２００に画像閲覧要求を送信する。ここで、画像閲覧モードとは、スマートフォン３００からの画像閲覧指示に応じてデジタルカメラ２００に記憶された画像をスマートフォン３００に転送するモードである。
【００３６】
リモート撮影選択ボタン６０２は、デジタルカメラ２００をリモート撮影したい場合に選択するボタンである。リモート撮影選択ボタン６０２が選択されることで、スマートフォン３００の制御部３０１は接続部３１１を介して、デジタルカメラ２００のモードをリモート撮影モード（遠隔撮影モード）に移行させるためにデジタルカメラ２００にリモート撮影要求を送信する。ここで、リモート撮影モードとは、スマートフォン３００からの撮影指示に応じてデジタルカメラ２００の撮像部２０２が撮影制御されるモードである。
【００３７】
ステップＳ５０４では、制御部２０１はスマートフォン３００からリモート撮影要求を受信したか否かを判定する。リモート撮影要求を受信したと判定された場合にはステップＳ５０５に進み、リモート撮影要求を受信していないと判定された場合にはステップＳ５０９に進む。
ステップＳ５０５では、制御部２０１はズーム位置が作業用メモリ２０４に記憶されているか否かを判定する。作業用メモリ２０４に記憶されているズーム位置とは、図４のステップＳ４０３において記憶された情報である。ズーム位置が記憶されていると判定した場合にはステップＳ５０６に進み、ズーム位置が記憶されていないと判定された場合にはステップＳ５０７に進む。
【００３８】
ステップＳ５０６では、制御部２０１は作業用メモリ２０４から記憶されているズーム位置を読み出し、撮像部２０２を介して、読み出したズーム位置まで鏡筒を繰り出す。したがって、デジタルカメラ２００では図４のステップＳ４０３で記憶したズーム位置を復元することができ、スマートフォン３００と無線通信する前に適切に被写体がフレーム内に収まるように調整したズーム位置からリモート撮影を開始することができる。
【００３９】
なお、作業用メモリ２０４に記憶しているズーム位置が光学ズーム位置ではなくデジタルズーム位置であった場合、制御部２０１は光学ズームの望遠端まで鏡筒を移動させるように制御し、デジタルズーム処理を行わないようにしてもよい。デジタルズーム処理はデジタルカメラ２００側またはスマートフォン３００側で画像の切り出し処理が必要になり、ライブ画像の１フレーム毎に切り出し処理を行うとフレームレートが低下する可能性がある。したがって、制御部２０１がデジタルズーム処理を行わないことでフレームレートの低下を回避することができる。
また、作業用メモリ２０４に記憶しているズーム位置が光学ズーム位置ではなくデジタルズーム位置であった場合、上述したステップＳ４０３において、制御部２０１は光学ズームの望遠端のズーム位置を記憶してもよい。制御部２０１が光学ズームの望遠端のズーム位置を記憶することでステップＳ５０６ではデジタルズーム処理を行わないようにすることができる。
【００４０】
ステップＳ５０７では、制御部２０１は作業用メモリ２０４にズーム位置が記憶されていないため、撮像部２０２を制御して鏡筒をデフォルトのズーム位置まで移動させる。
ステップＳ５０８では、制御部２０１はリモート撮影接続処理を行う。制御部２０１は撮影パラメータ、バッテリ残量、撮影可能枚数などの各種パラメータを生成するために作業用メモリ２０４から設定を読み出す。その後、制御部２０１は読み出した撮影パラメータを撮像部２０２に設定しライブ画像の生成を開始する。また、制御部２０１は接続部２１１を介して、スマートフォン３００へ撮影パラメータ、バッテリ残量、撮影可能枚数などの各種パラメータを送信し、モードをリモート撮影モードに移行する。
【００４１】
このような処理により、デジタルカメラ２００はスマートフォン３００との間でリモート撮影が可能となる。すなわち、デジタルカメラ２００の制御部２０１はスマートフォン３００からのライブ画像取得指示、撮影指示、撮影パラメータ変更指示に応じた処理をすることによりリモート撮影を実行する。
【００４２】
図６（ｂ）は、リモート撮影時のスマートフォン３００の画面の一例を示す図である。
図６（ｂ）に示すように、操作者は被写体６０３がフレームに収まっているかをスマートフォン３００の表示部３０６上に表示されるライブ画像６０４を見て確認することができる。また、操作者はスマートフォン３００の操作部３０５上にあるシャッターボタン６０５を押下することにより、デジタルカメラ２００に撮影指示することができる。なお、撮影パラメータを変更する場合は、操作者は操作部３０５上の設定ボタン６０６を選択することにより撮影パラメータを変更することができる。
【００４３】
一方、ステップＳ５０４においてリモート撮影要求を受信していないと判定し、ステップＳ５０９に進んだ場合、制御部２０１はスマートフォン３００からリモート撮影要求とは異なる要求を受信したか否かを判定する。ここでは、リモート撮影要求と異なる要求とは画像閲覧要求であるものとする。画像閲覧要求を受信したと判定された場合にはステップＳ５１０に進み、画像閲覧要求を受信していないと判定された場合にはステップＳ５０４に戻る。なお、リモート撮影要求と異なる要求は、例えばデジタルカメラ２００に記憶された情報を閲覧する閲覧要求などであってもよい。
【００４４】
ステップＳ５１０では、制御部２０１は画像転送接続処理を行う。制御部２０１は接続部２１１を介して記録媒体２１０に記憶されている画像情報の一覧をスマートフォン３００へ送信し、モードを画像閲覧モードに移行する。なお、制御部２０１は、画像閲覧には不要であるために鏡筒を沈胴させた状態で維持している。
このような処理により、デジタルカメラ２００はスマートフォン３００との間で画像閲覧処理が可能となる。デジタルカメラ２００の制御部２０１は、スマートフォン３００からの画像閲覧指示に応じて処理をすることにより、画像閲覧を実行する。
また、予めステップＳ５０２において鏡筒を沈胴させておくことで、画像閲覧要求を受信した後に鏡筒を沈胴させる必要がない。したがって、鏡筒を駆動させる処理と、画像転送の処理などとが同時に行われることがなく、デジタルカメラ２００の消費電力のピーク値を低減することができる。特にリモート撮影要求に比べて画像閲覧要求の頻度の方が一般的に多いために、ステップＳ５０２において予め鏡筒を沈胴させておくことは有効である。
【００４５】
上述したように本実施形態によれば、デジタルカメラ２００は、繰り出された鏡筒を沈胴させた状態のままでスマートフォン３００との無線通信を開始する。したがって、鏡筒を駆動させる処理と無線通信の接続処理とが同時に行われることがなくデジタルカメラ２００の消費電力のピーク値を低減することができる。また、スマートフォン３００との無線通信が開始された後に、スマートフォン３００との無線通信が開始される前に記憶したズーム位置に復元する。したがって、予めフレーミングしたズーム位置をリモート撮影時も引き継ぐことができ、操作性を向上させることができる。
【００４６】
以上、本発明を上述した実施形態により説明したが、本発明は上述した実施形態にのみ限定されるものではなく、本発明の範囲内で変更などが可能である。
また、本発明は、以下の処理を実行することによっても実現される。すなわち、上述した実施形態の機能を実現するプログラムを、ネットワークまたは各種記録媒体を介して携帯端末または撮像装置に供給し、携帯端末または撮像装置のコンピュータ（制御部）がプログラムを読み出して実行する処理である。
【図１】
2015118183.tif 000003
【図２】
2015118183.tif 000004
【図３】
2015118183.tif 000005
【図４】
2015118183.tif 000006
【図５】
2015118183.tif 000007
【図６】
2015118183.tif 000008